(57)【要約】  本発明はフラフープを使用しない場合には、収納して、体積を減少して携帯と保管及び移動の容易性を提供し、使用時には引出して円形に連結して、運動や遊びに活用することができるようにしたもので、断面が円形でありながら平面上円弧状を有するように複数に分割されるメインボディと、前記メインボディの一側に収納及び引出される複数のミドルボディと、前記ミドルボディの中の最後のミドルボディに結合されて収納引出されながら、メインボディの他側に連結されるエンドボディと、で構成され、前記メインボディとミドルボディ及びエンドボディは、アンテナや釣竿の形態の多段階で収納及び引出されるように構成することが特徴である。
2020527375.tif 000002
【特許請求の範囲】
【請求項１】
断面が円形でありながら平面上円弧状を有するように複数に分割されるメインボディ（１０１）と、前記メインボディ（１０１）の一側に収納及び引出される複数のミドルボディ（１０２、１０３・・・）と、前記ミドルボディ（１０２、１０３・・・）の中の最後のミドルボディ（１０３）に結合されて収納引出されながらメインボディ（１０１）の他側に連結されるエンドボディ（１０４）と、で構成され、前記メインボディ（１０１）とミドルボディ（１０２、１０３・・・）及びエンドボディ（１０４）はアンテナや釣竿の形態の多段階で収納及び引出されるようにしたことを特徴とするフラフープ。
【請求項２】
前記エンドボディ（１０４）の先側とメインボディ（１０１）の他側に引出されたミドルボディ（１０２、１０３・・・）と、エンドボディ（１０４）を円形に保持することができるようにエンドボディ（１０４）の先側に形成される雄体（１０７）と、前記雄体（１０７）と結合されることができるようにメインボディ（１０１）の他側に形成される雌体（１０８）と、で構成される連結手段（１０６）をさらに備え、
前記雄体（１０７）は、エンドボディ（１０４）の先側内径に内蔵される弾性体（１０９）と、前記エンドボディ（１０４）に形成される弾性体ホール（１１１）と、前記弾性体ホール（１１１）に露出させる弾性体（１０９）の突出部（１１０）と、を含み、
前記雌体（１０８）は、メインボディ（１０１）の他側にエンドボディ（１０４）の先側外径を収容することができるように形成されるエンドボディホール（１１２）と、前記エンドボディホール（１１２）の内側に弾性体（１０９）の突出部（１１０）が収容されることができるように形成される突起溝（１１３）を含むことを特徴とする請求項１に記載のフラフープ。
【請求項３】
前記メインボディ（１０１）とミドルボディ（１０２、１０３・・・）及びエンドボディ（１０４）には、収納及び引出時に常に一定の方向を保持するように互いに噛合される形態の凹入溝（１１５）と突起（１１６）を長さ方向に形成することを特徴とする請求項１に記載のフラフープ。
【発明の詳細な説明】
【技術分野】
【０００１】
本発明はフラフープに関し、より詳しくは、使用しない場合には、折って体積を減少して保管及び移動の容易性を提供し、使用する場合には、引出して円形にした後使用することができるように改善したフラフープの提供に関する。
【背景技術】
【０００２】
フラフープは、直径が約１ｍのプラスチック材料のリング体で構成されており、このリング体に体を入れて落ちないように体を振りながら回す遊びや運動器具の一種で、最初は１９５７年オーストラリアで流行し、アメリカ、日本、韓国などに広く普及された。
【０００３】
このようなフラフープは、人の腰部分にかけた状態で回転させた後、腰に一定の回転反動を繰り返して付与して回転遠心力を発生させながら使用者の腰の周りを繰り返し押して、腰の柔軟性、筋力強化及び腹部肥満を解決する運動及び遊び道具として広く用いられている。
【０００４】
前記のようなフラフープは、初期には腰の柔軟性と筋力強化及び腹部肥満を解消することができる目的のために用いられたが、時間が経つにつれてよりたくさんの機能を付与するための努力があった。
【０００５】
例えば、フラフープの内径面に指圧効果を発生させることができるように指圧突起を形成して、指圧に加え、血液の循環を促進させることができるようにしたフラフープが提供され、夜間に運動をするときにフラフープの視認性を高めるようにするためにフラフープに夜光または蓄光機能を付与したフラフープを提供し、最近には技術の発展により小型乾電池を利用して長時間点灯や点滅が可能なＬＥＤを装着したフラフープなどが提供されている。
【発明の概要】
【発明が解決しようとする課題】
【０００６】
このようなフラフープは、丸いリング状をなしている。また、各家庭に一つ以上ずつ備えているが、体積が大きいため、保管が容易でなく、屋外に移動しようとする場合にも車両のトランクなどに収納することが容易ではないことが実情である。
【０００７】
屋外に移動しようとする場合、フラフープのみ備えるとトランクに収納することが困難でないが、旅行やキャンプなどの目的に合わせて荷物が多い場合には、フラフープを収納することが容易でないことは自明である。
【０００８】
このような問題を解決するために、最近には、フラフープを分離結合が可能な形態で多様な種類が開発されて普及されている。最も代表的な例として、テントを構成する骨組みに適用されることを応用して、複数の部分に分離したフラフープの内頸部に弾性を有するバンドまたはスプリングを内蔵して、分離及び結合を容易にするタイプがある。
【０００９】
他の例としては、フラフープを複数の操作で分離構成した後、別途のバッグを提供して、移動及び保管時にバッグに入れ、使用時には組み立てて円形のリング体を構成するタイプがある。
【００１０】
前者の場合、初期には弾性バンドの弾性力があるので、組み立てたときに円形に保持することが可能であるが、繰り返し使用及び時間が経つにつれて、弾性バンドの損傷や摩耗または弾性の低下により組み立てた後円形のフラフープを構成することが困難であり、使用する過程で分解される現象が頻繁に発生して正常に使用することが不可能である。
【００１１】
後者の場合には、単純に分解及び組み立てによって行われるので、前者のような問題はないが、頻繁な分解と結合により分解結合部位の摩耗や損傷による使用不可現象を排除することができず、使用時には問題がないが、分解して組み立てることが繰り返しされることで使用に不便が伴うことは事実である。
【００１２】
また、分解した状態のフラフープの体積もある程度空間を占めるため、保管空間を必要とすることが事実であり、主な使用層が子供が多いので、使用した後分解して保管する過程で複数の部分の中の一つまたはそれ以上を紛失する場合が多く、この場合、次に正常にフラフープを使用することが困難であるなど諸問題点が発生していることが実情である。
【課題を解決するための手段】
【００１３】
そこで、本発明では、前記のような問題点を解決するために発明されたもので、断面が円形でありながら平面上円弧状を有するように複数に分割されるメインボディと、前記メインボディの一側に収納及び引出される複数のミドルボディと、前記ミドルボディの中の最後のミドルボディに結合されて収納引出されながら、メインボディの他側に連結されるエンドボディと、で構成され、前記メインボディとミドルボディ及びエンドボディはアンテナや釣竿の形態の多段階で収納及び引出されるように構成され、
フラフープを使用しない場合には、収納して体積を減少して携帯と保管及び移動の容易性を提供し、使用時には引出して円形に連結して運動や遊びに活用することができる目的を達成することができる。
【発明の効果】
【００１４】
本発明は、アンテナや釣竿のような形態に折り畳み可能に構成して、折った時に、体積を最小化して、携帯及び保管の容易性を提供することができ、使用時に支障がないようにすることはもちろん、使用しないで折った時にはフラフープの構成品が紛失される虞を排除することができるようにすることにより、利用者の利便性を増大させながら、新規なフラフープの提供を可能にし、フラフープの品質を優れたものにすることができるなど、多様な効果を奏する発明である。
【図面の簡単な説明】
【００１５】
【図１】本発明の技術が適用されたフラフープを示した全体斜視図である。
【図２】本発明の技術が適用されたフラフープを折った状態を示した斜視図である。
【図３】本発明の技術が適用されたフラフープを折った状態を示した破折状態斜視図である。
【図４】本発明の技術が適用されたフラフープを示したＡ−Ａ線に沿う断面図である。
【図５】本発明の技術が適用されたフラフープを示した連結状態の一部省略断面図である。
【発明を実施するための形態】
【００１６】
本発明の技術が適用されるフラフープ１００は、断面が円形でありながら平面上円弧状を有するように複数に分割されるメインボディ１０１と、前記メインボディ１０１の一側に収納及び引出される複数のミドルボディ１０２、１０３・・・と、前記ミドルボディ１０２、１０３・・・の中の最後のミドルボディ１０３に結合されて収納引出されながらメインボディ１０１の他側に連結されるエンドボディ１０４と、で構成される。
【００１７】
前記フラフープ１０１の分割数は少なくとも３つでなければならず、４つ〜６つが好ましく、それより多くてもいいが、不必要に多い場合、分解組立が困難であるとともに、製造が困難であることがあるので、好ましくない。
【００１８】
前記メインボディ１０１とミドルボディ１０２、１０３・・・及びエンドボディ１０４の結合は、アンテナや釣竿のように、多段階に収納及び引出する構成が好ましく、メインボディ１０１の直径が一番大きく、順次ミドルボディ１０２、１０３・・・とエンドボディ１０４の直径が小さくなる形態になるようにする。
【００１９】
もちろん、メインボディ１０１の内径先側はミドルボディ１０２の外径後側より微細に小さな形態、ミドルボディ１０２の内径先側は次のミドルボディ１０３外径後側より微細に小さな形態、ミドルボディ１０３の内径先側はエンドボディ１０４の外径後側より微細に小さな形態にして、引出した時、直径の差によりストッピングされることができるようにする。
【００２０】
他の例として、メインボディ１０１の内径先側とミドルボディ１０２、１０３・・・の内径先側とミドルボディ１０２、１０３・・・とエンドボディ１０４の外径後側にはそれぞれ噛合されることができる形態の係止段差を形成して引出した時、ストッピングされることができるようにする。
【００２１】
また、メインボディ１０１の内径部には、収納されるミドルボディ１０２、１０３・・・とエンドボディ１０４が離脱されることを防止することができるように隔壁１０５を形成するようにし、エンドボディ１０４の先側とメインボディ１０１の他側には引出されたミドルボディ１０２、１０３・・・とエンドボディ１０４を円形に保持することができるようにする連結手段１０６を有するようにする。
【００２２】
前記連結手段１０６は、エンドボディ１０４の先側に形成される雄体１０７と、前記雄体１０７と結合されることができるようにメインボディ１０１の他側に形成される雌体１０８と、で構成される。
【００２３】
前記雄体１０７は、エンドボディ１０４の先側内径にスプリングのような弾性体１０９を内蔵し、前記弾性体１０９の突出部１１０はエンドボディ１０４に形成される弾性体ホール１１１を通じて露出されるようにする。
【００２４】
前記雌体１０８は、メインボディ１０１の他側にエンドボディ１０４の先側外径を収容することができるようにエンドボディホール１１２を形成し、前記エンドボディホール１１２の内側には、弾性体１０９の突出部１１０が収容されることができるように突起溝１１３を形成して構成する。
【００２５】
前記突出部１１０と突起溝１１３との分解は、引っ張って強制的に分解される形態にしてもよく、他の例としては、メインボディ１０１に解除ボタン１１４をさらに設置して離脱を容易にすることができるようにしてもよい。
【００２６】
前記メインボディ１０１とミドルボディ１０２、１０３・・・及びエンドボディ１０４には互いに噛合される形態の凹入溝１１５と突起１１６を長さ方向に形成して、収納及び引出時に常に一定の方向を保持して、フラフープを完成した時、正常な円形を保持することができるようにすることが好ましい。
【００２７】
また、メインボディ１０１に収納されたエンドボディ１０４の先側とメインボディの他側に形成されるエンドボディホール１１２に異物などが流入されることを防止するための仕上げキャップを別途にさらに備えてもよい。
【００２８】
フラフープ１００を使用しない場合には、メインボディ１０１にミドルボディ１０２、１０３・・・とエンドボディ１０４を収納して、体積をメインボディ１０１のサイズに作った後、保管したり移動すればよく、体積が小さいので保管とともに携帯及び移動の容易性を提供することができる。
【００２９】
フラフープ１００を使用したい場合には、メインボディ１０１に収納されたミドルボディ１０２、１０３・・・とエンドボディ１０４を引出して円形に結合して使用すればいい。エンドボディ１０４の先側を取って引っ張ると、ミドルボディ１０２、１０３・・・が順次に引出される。
【００３０】
もちろん、メインボディ１０１とミドルボディ１０２、１０３・・・及びエンドボディ１０４の全体を全部引出した場合には、円形のリング状になることは当然であり、エンドボディ１０４の先側とメインボディ１０１の他側に備えられる連結手段１０６を互いに結合させると、円形に連結された状態を継続的に保持されることができるので、フラフープの運動や遊びをするのに支障がない。
【００３１】
特に、メインボディ１０１とミドルボディ１０２、１０３・・・及びエンドボディ１０４には、引出及び収納時に方向が歪むことを防止することができるように凹入溝１１５及び突起１１６を形成しているので、収納及び引出時に常に一定の方向を保持することができて、フラフープの完成と体積の減少を容易にすることができる。
【００３２】
前記収納時には、エンドボディ１０４とミドルボディ１０２、１０３・・・をメインボディ１０１に押し込むと、メインボディ１０１に形成される隔壁１０５にミドルボディ１０２、１０３・・・とエンドボディ１０４の後尾末端部に密着されるので、これ以上の収納は止まり、引出時には、エンドボディ１０４の後側はミドルボディ１０２、１０３・・・の先側に係止され、ミドルボディ１０２、１０３・・・の後側はメインボディ１０１の先側に係止される形態で引出された状態を保持することができるようになる。
【産業上の利用可能性】
【００３３】
前記のような本発明は、フラフープを使用しない場合には収納して体積を減少して、携帯と保管及び移動の容易性を提供し、使用時には引出して円形に連結して運動及び遊びに活用することができるという長所を有する。
【図１】
2020527375.tif 000003
【図２】
2020527375.tif 000004
【図３】
2020527375.tif 000005
【図４】
2020527375.tif 000006
【図５】
2020527375.tif 000007
【国際調査報告】
2020527375.tif 000008
2020527375.tif 000009
2020527375.tif 000010
2020527375.tif 000011